(57)【要約】【課題】携帯機器で閲覧するための縮小画像データをサーバにアップロードするアップロードプログラム及び縮小画像データに基づく画像を携帯機器で閲覧する画像閲覧方法の提供。【解決手段】コンピュータを、装填された記録媒体から認証情報を読み取る認証情報読み取り手段１６、必要に応じて、記録媒体に予め記録された画像データ又は入力された画像データに基づいて縮小画像データを生成するデータ生成手段１７、記録媒体に認証情報が記録されている場合に、記録媒体に予め記録された縮小画像データ又は生成された縮小画像データと認証情報とを予め定められた特定のサーバにアップロードするアップロード手段１９、として機能させる。これにより、縮小画像データを特定のサーバに簡単にアップロードすることができ、また、アップロードされた縮小画像データを簡単かつ安全にダウンロードすることができる。【選択図】図７
2007081920.tif 000002
【特許請求の範囲】
【請求項１】
コンピュータを、
装填された記録媒体から所定の認証情報を読み取る認証情報読み取り手段、
前記記録媒体に前記認証情報が記録されている場合に、前記記録媒体に予め記録された縮小画像データと前記認証情報とを予め定められた特定のサーバにアップロードするアップロード手段、として機能させることを特徴とするアップロードプログラム。
【請求項２】
コンピュータを、
装填された記録媒体から所定の認証情報を読み取る認証情報読み取り手段、
前記記録媒体に予め記録された画像データ又は入力された画像データに基づいて縮小画像データを生成するデータ生成手段、
前記記録媒体に前記認証情報が記録されている場合に、生成された前記縮小画像データと前記認証情報とを予め定められた特定のサーバにアップロードするアップロード手段、として機能させることを特徴とするアップロードプログラム。
【請求項３】
前記認証情報読み取り手段では、前記記録媒体の論理アドレス領域外から前記認証情報を読み取ることを特徴とする請求項１又は２に記載のアップロードプログラム。
【請求項４】
制御装置と特定のサーバと携帯機器とが通信ネットワークを介して接続されてなるシステムにおける画像閲覧方法であって、
前記制御装置に装填された記録媒体から所定の認証情報を読み取る認証情報読み取りステップと、
前記記録媒体に前記認証情報が記録されている場合に、前記記録媒体に予め記録された縮小画像データと前記認証情報とを前記特定のサーバにアップロードするアップロードステップと、
前記特定のサーバに、前記縮小画像データと前記認証情報とを関連付けて記録する記録ステップと、
前記携帯機器を用いて、前記特定のサーバに前記認証情報を送信する認証情報送信ステップと、
前記認証情報により認証された場合に、該認証情報に関連付けて記録された前記縮小画像データを前記携帯機器にダウンロードするダウンロードステップと、を少なくとも備えることを特徴とする画像閲覧方法。
【請求項５】
制御装置と特定のサーバと携帯機器とが通信ネットワークを介して接続されてなるシステムにおける画像閲覧方法であって、
前記制御装置に装填された記録媒体から所定の認証情報を読み取る認証情報読み取りステップと、
前記記録媒体に予め記録された画像データ又は入力された画像データに基づいて縮小画像データを生成するデータ生成ステップと、
前記記録媒体に前記認証情報が記録されている場合に、生成された前記縮小画像データと前記認証情報とを前記特定のサーバにアップロードするアップロードステップと、
前記特定のサーバに、前記縮小画像データと前記認証情報とを関連付けて記録する記録ステップと、
前記携帯機器を用いて、前記特定のサーバに前記認証情報を送信する認証情報送信ステップと、
前記認証情報により認証された場合に、該認証情報に関連付けて記録された前記縮小画像データを前記携帯機器にダウンロードするダウンロードステップと、を少なくとも備えることを特徴とする画像閲覧方法。
【請求項６】
前記認証情報読み取りステップでは、前記記録媒体の論理アドレス領域外から前記認証情報を読み取ることを特徴とする請求項４又は５に記載の画像閲覧方法。
【請求項７】
前記認証情報送信ステップでは、前記記録媒体のレーベル面又は前記記録媒体を収納するケースに装填されるジャケットプリントに予め記録されたバーコード情報から前記認証情報を取得することを特徴とする請求項４乃至６のいずれか一に記載の画像閲覧方法。
【発明の詳細な説明】
【技術分野】
【０００１】
本発明は、携帯機器で閲覧するための縮小画像データをサーバにアップロードするためのアップロードプログラム及び縮小画像データに基づく画像を閲覧するための画像閲覧方法に関する。
【背景技術】
【０００２】
近年、デジタルカメラの低価格化、多機能化に伴ってデジタルカメラで写真を撮影するユーザが増加している。デジタルカメラでは、撮影した写真の画像データを内部のメモリやデジタルカメラ用メディアに一時的に保存しておき、コンピュータ機器などを用いて、定期的にデジタルカメラやメディアから画像データを読み取り、読み取った画像データをコンピュータ機器のハードディスクやＣＤ−Ｒ、ＤＶＤ−Ｒなどの記録媒体に書き込むことにより、写真画像を電子アルバムとして保管する（例えば、下記特許文献１参照）。
【０００３】
また、デジタルカメラやメディアから読み取った画像データを単に記録媒体に記録するのではなく、これらの画像データをＤＶＤプレーヤやＤＶＤレコーダ、ＨＤＤレコーダ、ゲーム機などの家電機器でスライドショーとして再生するためのデータ（以下、家電機器用データと呼ぶ。）を生成し、画像データと家電機器用データとをセットにして記録媒体に書き込んだり、これらの画像データと、該画像データをコンピュータ機器でスライドショーとして再生するためのアプリケーションとをセットにして記録媒体に書き込むこともできる。
【０００４】
【特許文献１】特開２００４−２０１１１３号公報（第１０−１８頁、第１図）
【発明の開示】
【発明が解決しようとする課題】
【０００５】
近年、サイズが大きく、解像度の高いモニタを備える携帯電話機などの携帯機器が普及しており、携帯機器でも画像を鮮明に表示することができるようになってきている。そこで、デジタルカメラやメディアに記録された画像データに基づく画像を携帯機器に表示させることができれば写真画像に関するサービスの使用促進を図ることができる。
【０００６】
しかしながら、上述したサービスは画像データをＣＤ−Ｒ、ＤＶＤ−Ｒなどの記録媒体に記録するのみであり、このような記録媒体は携帯機器で利用することはできない。また、デジタルカメラやメディアから読み取った画像データを通信ネットワークを介して接続されるサーバなどに保管するサービスもあるが、デジタルカメラで撮影して得られた画像データはデータサイズが大きいため、画像データの受信に時間がかかると共に、そのままでは携帯機器のモニタに表示するのに適しておらず、該画像データを携帯機器で利用することは困難である。更に、アップロードした画像データが無制限にダウンロードできるのは好ましくないことから、特定のユーザのみが画像データをダウンロードできるようにする必要がある。
【０００７】
本発明は、上記問題点に鑑みてなされたものであって、その主たる目的は、携帯機器で閲覧するための縮小画像データをサーバにアップロードするアップロードプログラム及び縮小画像データに基づく画像を携帯機器で閲覧する画像閲覧方法を提供することにある。
【課題を解決するための手段】
【０００８】
上記目的を達成するため、本発明のアップロードプログラムは、コンピュータを、装填された記録媒体から所定の認証情報を読み取る認証情報読み取り手段、前記記録媒体に前記認証情報が記録されている場合に、前記記録媒体に予め記録された縮小画像データと前記認証情報とを予め定められた特定のサーバにアップロードするアップロード手段、として機能させるものである。
【０００９】
また、本発明のアップロードプログラムは、コンピュータを、装填された記録媒体から所定の認証情報を読み取る認証情報読み取り手段、前記記録媒体に予め記録された画像データ又は入力された画像データに基づいて縮小画像データを生成するデータ生成手段、前記記録媒体に前記認証情報が記録されている場合に、生成された前記縮小画像データと前記認証情報とを予め定められた特定のサーバにアップロードするアップロード手段、として機能させるものである。
【００１０】
本発明においては、前記認証情報読み取り手段では、前記記録媒体の論理アドレス領域外から前記認証情報を読み取ることが好ましい。
【００１１】
また、本発明の画像閲覧方法は、制御装置と特定のサーバと携帯機器とが通信ネットワークを介して接続されてなるシステムにおける画像閲覧方法であって、前記制御装置に装填された記録媒体から所定の認証情報を読み取る認証情報読み取りステップと、前記記録媒体に前記認証情報が記録されている場合に、前記記録媒体に予め記録された縮小画像データと前記認証情報とを前記特定のサーバにアップロードするアップロードステップと、前記特定のサーバに、前記縮小画像データと前記認証情報とを関連付けて記録する記録ステップと、前記携帯機器を用いて、前記特定のサーバに前記認証情報を送信する認証情報送信ステップと、前記認証情報により認証された場合に、該認証情報に関連付けて記録された前記縮小画像データを前記携帯機器にダウンロードするダウンロードステップと、を少なくとも備えるものである。
【００１２】
また、本発明の画像閲覧方法は、制御装置と特定のサーバと携帯機器とが通信ネットワークを介して接続されてなるシステムにおける画像閲覧方法であって、前記制御装置に装填された記録媒体から所定の認証情報を読み取る認証情報読み取りステップと、前記記録媒体に予め記録された画像データ又は入力された画像データに基づいて縮小画像データを生成するデータ生成ステップと、前記記録媒体に前記認証情報が記録されている場合に、生成された前記縮小画像データと前記認証情報とを前記特定のサーバにアップロードするアップロードステップと、前記特定のサーバに、前記縮小画像データと前記認証情報とを関連付けて記録する記録ステップと、前記携帯機器を用いて、前記特定のサーバに前記認証情報を送信する認証情報送信ステップと、前記認証情報により認証された場合に、該認証情報に関連付けて記録された前記縮小画像データを前記携帯機器にダウンロードするダウンロードステップと、を少なくとも備えるものである。
【００１３】
本発明においては、前記認証情報読み取りステップでは、前記記録媒体の論理アドレス領域外から前記認証情報を読み取ることが好ましく、前記認証情報送信ステップでは、前記記録媒体のレーベル面又は前記記録媒体を収納するケースに装填されるジャケットプリントに予め記録されたバーコード情報から前記認証情報を取得する構成とすることができる。
【００１４】
このように、本発明によれば、装填された記録媒体から所定の認証情報が読み取られ、記録媒体に認証情報が記録されている場合に、記録媒体に予め記録された又は生成された縮小画像データと認証情報とが特定のサーバにアップロードされるため、ユーザは特別な操作をすることなく、簡単に縮小画像データをアップロードすることができる。また、携帯機器で認証情報を送信することによりユーザが認証され、認証されたユーザに認証情報に関連付けて記録された縮小画像データがダウンロードされるため、アップロードされた縮小画像データを簡単かつ安全にダウンロードすることができる。これにより、好きな時間に好きな場所で縮小画像データに基づく画像を閲覧することができるため、写真画像に関するサービスの利用促進を図ることができる。
【発明の効果】
【００１５】
本発明のアップロードプログラム及び画像閲覧方法によれば、携帯機器で閲覧するための縮小画像データを特定のサーバに簡単にアップロードすることができ、また、アップロードされた縮小画像データを簡単かつ安全に携帯機器にダウンロードすることができる。
【００１６】
その理由は、本発明のアップロードプログラムにより、装填された記録媒体の論理アドレス領域外などから所定の認証情報が読み取られ、記録媒体に認証情報が記録されている場合に、記録媒体に予め記録された縮小画像データ又は記録媒体に予め記録された画像データから生成された縮小画像データ又は入力された画像データから生成された縮小画像データと認証情報とが予め定められた特定のサーバにアップロードされるからである。また、携帯機器で認証情報を送信することによりユーザが認証され、認証されたユーザに対して該認証情報に関連付けて記録された縮小画像データがダウンロードされるからである。
【発明を実施するための最良の形態】
【００１７】
本発明に係るアップロードプログラムは、その好ましい一実施の形態において、コンピュータを、装填された記録媒体から認証情報を読み取る認証情報読み取り手段、必要に応じて、記録媒体に予め記録された画像データ又は入力された画像データに基づいて縮小画像データを生成するデータ生成手段、記録媒体に認証情報が記録されている場合に、記録媒体に予め記録された縮小画像データ又は生成された縮小画像データと認証情報とを予め定められた特定のサーバにアップロードするアップロード手段、として機能させる。これにより、縮小画像データを特定のサーバに簡単にアップロードすることができ、また、アップロードされた縮小画像データを簡単かつ安全にダウンロードすることができる。
【実施例】
【００１８】
上記実施形態について詳細に説明すべく、本発明の一実施例に係るアップロードプログラム及び画像閲覧方法について、図１乃至図１３を参照して説明する。図１は、本実施例に係る画像閲覧システムの構成を模式的に示す図であり、図２乃至図６は、画像閲覧システムの他の構成を模式的に示す図である。また、図７は、制御装置の手段を示すブロック図であり、図８は、制御装置を用いた縮小画像データのアップロード手順を示すフローチャート図、図９は、携帯機器を用いた縮小画像データのダウンロード手順を示すフローチャート図である。また、図１０は、記録媒体及びジャケットプリントの構成例を示す図であり、図１１は、記録媒体におけるデータの記録構造を示す図である。また、図１２は、記録媒体におけるデータの記録領域を示す図であり、図１３は、記録媒体（ＣＤ−Ｒ）の構造を模式的に示す図である。
【００１９】
図１に示すように、本実施例の画像閲覧システム３０は、画像データ（静止画像データ、動画データ、画像情報を含むデータを総称して画像データと呼ぶ。）のデータサイズを縮小したサムネイル画像データやスクリーンネイル画像データなど（以下、これらを総称して縮小画像データと呼ぶ。）と所定の認証情報とをサーバ１３にアップロードする制御装置１と、送信された縮小画像データと認証情報とを関連づけて記憶し、該認証情報で認証したユーザに対して縮小画像データをダウンロード可能とするサーバ１３と、基地局１４を介して通信ネットワーク１２に接続し、認証情報を送信すると共に、サーバ１３から縮小画像データをダウンロードする携帯電話機などの携帯機器１１とで構成される。
【００２０】
また、制御装置１は、図１及び図７に示すように、メディア装填部２に装填されたスマートメディア、コンパクトフラッシュ（登録商標）、メモリースティック（登録商標）、ＳＤメモリーカード、マルチメディアカードなどの記録媒体（以下、メディア９と呼ぶ。）、機器接続部３に接続されたデジタルカメラ８（デジタルスチルカメラ及びデジタルムービーカメラの双方を含む。）やカメラ付き携帯電話機等の撮影機器、記録媒体装填部５に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１０などから画像データや縮小画像データを読み取るデータ入力手段１５と、記録媒体装填部５に装填された記録媒体１０から、縮小画像データのアップロードを許可するための認証情報を読み取る認証情報読み取り手段１６と、必要に応じて、元の画像データのデータサイズを縮小した縮小画像データを生成したり、元の画像データをＤＶＤプレーヤやＤＶＤレコーダ、ゲーム機等の家電機器で再生可能なＶｉｄｅｏ−ＣＤ形式、ＤＶＤ−Ｖｉｄｅｏ形式、ＨＤＴＶ形式等のデータを生成するデータ生成手段１７と、記録媒体装填部５に装填された記録媒体１０に、元の画像データや縮小画像データ、家電機器用データなどを記録するデータ記録手段１８と、ネットワーク接続手段４を用いて縮小画像データと認証情報とをサーバ１３に送信するアップロード手段１９と、ＬＣＤ、ＣＲＴ等の表示部６と、ボタン、キーボード、マウス等の操作部７と、を少なくとも備えている。
【００２１】
なお、上記各手段は制御装置１にハードウェアとして構成されていてもよいし、コンピュータを、少なくとも認証情報読み取り手段１６、アップロード手段１９、又は、認証情報読み取り手段１６、データ生成手段１７、アップロード手段１９として機能させるアップロードプログラムとして構成し、該アップロードプログラムを制御装置１にインストールして実行する構成とすることもできる。また、アップロードプログラムを記録媒体１０に記録しておき、該記録媒体１０を記録媒体装填部５に装填するとアップロードプログラムが自動的に実行される構成とすることもできる。
【００２２】
また、図１では制御装置１として写真店やコンビニエンスストアなどの店舗に設置される無人端末（キオスク）を記載しているが、制御装置１の形態は任意であり、例えば、図２に示すようにパーソナルコンピュータなどのコンピュータ機器としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２３】
上記構成の画像閲覧システム３０を用いて縮小画像データをアップロードする手順について、図８のフローチャート図を参照して説明する。
【００２４】
まず、ステップＳ１０１で、記録媒体装填部５に記録媒体１０を装填すると、ステップＳ１０２で、認証情報読み取り手段１６は記録媒体１０の所定の領域から認証情報を読み取る。この認証情報の具体的構成は特に限定されず、アップロードが許可されていることをサーバ１３が識別可能な情報であればよい。
【００２５】
なお、この認証情報の中身が容易に知られてしまうと認証情報自体がコピーされてしまうため、認証情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００２６】
ここで、一般的な記録媒体１０（ＣＤ−Ｒ）の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで認証情報として利用することができる。
【００２７】
次に、ステップＳ１０３で、記録媒体１０の所定の領域に認証情報が記録されていない場合は、記録媒体装填部５から記録媒体１０を排出してステップＳ１０１に戻るか、又は、処理を終了し、認証情報が記録されている場合は、ステップＳ１０４で、データ入力手段１５は、記録媒体１０から縮小画像データを読み取る。なお、縮小画像データを判別する方法として、ヘッダ情報で特定される画素数が予め定められた画素範囲（携帯機器１１のモニタでの表示に適した画素範囲）であるかに基づいて判別したり、縮小画像データが予め定められたルールに従って生成されたファイル名であるか（例えば、ファイル名の先頭に”SC”の文字が入っているか）に基づいて判別したり、縮小画像データが予め定められたルールに従って生成されたフォルダ（例えば、”SCREEN"フォルダ）に格納されているかに基づいて判別するなどの方法を用いることができる。
【００２８】
次に、ステップＳ１０５で、記録媒体１０に縮小画像データが記録されている場合は、ステップＳ１１３にスキップし、記録媒体１０に縮小画像データが記録されていない場合は、ステップＳ１０６で、データ入力手段１５は、記録媒体１０から縮小画像データの元となる画像データを読み取る。なお、画像データを判別する方法として、縮小画像データの場合と同様に、ヘッダ情報で特定される画素数が予め定められた画素範囲（コンピュータ機器や家電機器のモニタでの表示に適した画素範囲）であるかに基づいて判別したり、画像データが予め定められたルールに従って生成されたファイル名であるか（例えば、ファイル名の先頭に”OR”の文字が入っているか）に基づいて判別したり、縮小画像データが予め定められたルールに従って生成されたフォルダ（例えば、後述する”ROYYMMDDyyy_XXXXXXAABxxx"フォルダ）に格納されているかに基づいて判別するなどの方法を用いることができる。
【００２９】
次に、ステップＳ１０７で、記録媒体１０に画像データが記録されている場合は、ステップＳ１１０にスキップし、記録媒体１０に画像データも記録されていない場合は、ステップＳ１０８で、メディア装填部２にメディア９を装填、又は、機器接続部３にデジタルカメラ８やカメラ付き携帯電話機を接続すると、ステップＳ１０９で、データ入力手段１５は、デジタルカメラ８やメディア９から画像データを読み取る。そして、画像データの読み取りが終了すると、表示部６に読み取った画像を一覧表示する画面が表示され、ユーザは画像データを選択したり、画像の順番を変えたり、画像を回転させたり、スライドショーのタイトルを入力したり、各々の画像にコメントを入力したり、スライドショーのＢＧＭとして利用する音楽データを選択するなどの処理を行う。
【００３０】
次に、ステップＳ１１０で、データ生成手段１７は、記録媒体１０から読み取った画像データ、又は、デジタルカメラ８やメディア９で読み取った画像データの画素数やサイズ、色数などを減縮した縮小画像データを作成する。この縮小画像データは元の画像データに比べて画素数やサイズ、色数などが少ないデータであればよく、縮小画像データを携帯機器１１のモニタに表示する用途のみで使用する場合はサムネイル画像データとしてもよいが、ダウンロードした縮小画像データを写真プリントの作成などの用途にも使用する場合はある程度の解像度を備えることが好ましく、この場合はスクリーンネイル画像データを用いることができる。
【００３１】
また、必要に応じて、データ生成手段１７は、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。なお、上記静止画像データから動画データを作成する方法は特に限定されず、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００３２】
次に、データ記録手段１８を用いて記録媒体装填部５に装填された記録媒体１０に画像データや縮小画像データ、家電機器用データなどを記録するが、その際、家電機器ではデータを読み込むことができる記録領域が限定されるため、家電機器用データを記録する場合は、図１２に示すように、ステップＳ１１１で、生成した家電機器用データを記録媒体１０の論理アドレス領域の内周側に書き込み、必要に応じてセッションをクローズした後、ステップＳ１１２で、画像データや縮小画像データなどを記録媒体１０の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３３】
上記手順で作成された記録媒体１０のディレクトリ構造は図１１（ａ）に示すようになり、画像データの格納場所を示すフォルダ（PS_Rollフォルダ）内に、画像データと縮小画像データ、必要に応じて、記録媒体１０の識別情報（認証情報と同じ情報としてもよい。）などが記述された管理データ（Information.pvm）などが記録され、APPLフォルダ内に必要に応じてスライドショープログラムやスライドショーの設定ファイルなどが記録され、これらでコンピュータ機器用データが構成される。
【００３４】
また、Ｖｉｄｅｏ−ＣＤ形式のデータを生成した場合は図１１（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図１１（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３５】
なお、画像データのディレクトリ構造は任意であるが、画像データをコンピュータ機器などにバックアップした場合における管理を容易にするために、例えば、図１１に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００３６】
次に、ステップＳ１１３で、アップロード手段１９は、制御装置１の記憶手段や記録媒体１０などに予め記憶されたＵＲＬ情報を読み取り、ネットワーク接続部４を用いてこのＵＲＬ情報で特定されるサーバ１３にアクセスし、記録媒体１０から読み取った縮小画像データ、又は、記録媒体１０から読み取った画像データに基づいて生成された縮小画像データ、又は、デジタルカメラ８やメディア９から読み取った画像データに基づいて生成された縮小画像データと、認証情報とをアップロードする。
【００３７】
なお、上記説明では、記録媒体１０から読み取った縮小画像データ、又は、記録媒体１０から読み取った画像データに基づいて生成された縮小画像データ、又は、デジタルカメラ８やメディア９から読み取った画像データに基づいて生成された縮小画像データの全てをサーバ１３にアップロードする構成としたが、例えば、制御装置１の記憶手段や記録媒体１０などにアップロードすべき縮小画像データを特定する情報を記憶しておき、その情報によって特定される縮小画像データをアップロードする構成とすることもできる。例えば、記録媒体１０に予め縮小画像データが記録されている場合に、管理データに上記情報を記述しておき、アップロード手段１９は、その情報に基づいてアップロードすべき縮小画像データを特定するようにしてもよい。
【００３８】
また、上記認証情報は、ステップＳ１０２で記録媒体１０から読み取った認証情報と同じものとすることが好ましいが、アップロードする認証情報は、サーバ１３にアクセスするユーザの中から上記縮小画像データをアップロードしたユーザを特定できる情報であればよく、例えば、記録媒体１０に対して付与された識別情報（例えば、図１１のYYMMDDyyyXXXXXXAAB）などとしてもよいし、ユーザのＩＤ情報や電話番号、生年月日などのユーザが任意に入力した情報としてもよい。
【００３９】
また、上記フローでは記録媒体１０に認証情報が記録されている場合に自動的にアップロードが実行される構成としているが、例えば、アップロードの前にユーザにパスワードの入力を求め、入力されたパスワードが予め定められたパスワード（例えば、図１１のPassword.txtに記述されたパスワード）と一致する場合に、アップロードが実行されるようにしてもよい。
【００４０】
そして、サーバ１３では、ステップＳ１１４で、送信された縮小画像データと認証情報とを関連づけて記憶して一連の処理を終了する。
【００４１】
次に、サーバ１３に記憶された縮小画像データをダウンロードする手順について、図９のフローチャート図を参照して説明する。
【００４２】
まず、ステップＳ２０１で、ユーザは携帯機器１１のボタン等を操作してサーバ１３のアドレス情報を入力し、通信機能を用いてサーバ１３にアクセスする。その際、アドレス情報の入力は煩雑であるため、例えば、図１０に示すように、記録媒体１０のレーベル面やジャケットプリント２０にアドレス情報が記述されたバーコード情報２２を印刷しておき、携帯機器１１の写真撮影手段でバーコード情報を撮影したり、バーコードリーダでバーコード情報を読み取ることによってアドレス情報を携帯機器１１に認識させてもよい。
【００４３】
次に、ステップＳ２０２で、ユーザは携帯機器１１のボタン等を操作して認証情報を入力し、通信機能を用いて認証情報をサーバ１３に送信する。この認証情報の入力に際しても、例えば、図１１に示すように、記録媒体１０のレーベル面やジャケットプリント２０に認証情報が記述されたバーコード情報２２を印刷しておき、携帯機器１１の写真撮影手段でバーコード情報を撮影したり、バーコードリーダでバーコード情報を読み取ることによって認証情報を携帯機器１１に認識させてもよい。
【００４４】
次に、ステップＳ２０３で、サーバ１３は送信された認証情報が予め登録された情報と一致するか否かに基づいてユーザを認証する。
【００４５】
そして、ユーザが認証された場合は、ステップＳ２０４で、サーバ１３は、送信された認証情報を参照して、該認証情報に関連づけて記憶された縮小画像データを特定し、ステップＳ２０５で、特定した縮小画像データを通信ネットワーク１２を介して携帯機器１１にダウンロードし、ステップＳ２０６で、ユーザはダウンロードした縮小画像データに基づく画像を携帯機器１１のモニタに表示させ、写真画像を閲覧する。
【００４６】
このように、本実施例の制御装置１では、記録媒体装填部５に装填された記録媒体１０から認証情報を読み取り、必要に応じて、記録媒体１０に予め記録された画像データやデジタルカメラ８、メディア９から読み取った画像データに基づいて縮小画像データを生成し、記録媒体１０に認証情報が記録されている場合には、記録媒体１０に予め記録された縮小画像データ又は生成された縮小画像データと認証情報とをサーバ１３にアップロードするため、ユーザは特別な操作をすることなく、簡単に縮小画像データをサーバ１３にアップロードできる。また、認証情報によって認証されたユーザに、該認証情報に関連付けて記録された縮小画像データがダウンロードされるため、簡単かつ安全に所望の縮小画像データをダウンロードすることができる。
【００４７】
なお、上記実施例では、縮小画像データをサーバ１３にアップロードする場合について記載したが、本発明は上記実施例に限定されるものではなく、着信メロディのような音楽データなどの他の種類のデータをサーバ１３にアップロードする場合についても同様に適用することができる。
【図面の簡単な説明】
【００４８】
【図１】本発明の一実施例に係る画像閲覧システムの構成を模式的に示す図である。
【図２】本発明の一実施例に係る画像閲覧システムの他の構成を示す図である。
【図３】本発明の一実施例に係る画像閲覧システムの他の構成を示す図である。
【図４】本発明の一実施例に係る画像閲覧システムの他の構成を示す図である。
【図５】本発明の一実施例に係る画像閲覧システムの他の構成を示す図である。
【図６】本発明の一実施例に係る画像閲覧システムの他の構成を示す図である。
【図７】本発明の一実施例に係る制御装置の手段を示すブロック図である。
【図８】本発明の一実施例に係る制御装置を用いた縮小画像データのアップロード手順を示すフローチャート図である。
【図９】本発明の一実施例に係る携帯機器を用いた縮小画像データのダウンロード手順を示すフローチャート図である。
【図１０】本発明の一実施例に係る記録媒体及びジャケットプリントの構成例を示す図である。
【図１１】本発明の一実施例に係る記録媒体におけるデータの記録構造例を示す図である。
【図１２】本発明の一実施例に係る記録媒体におけるデータの記録領域を模式的に示す図である。
【図１３】記録媒体（ＣＤ−Ｒ）の構造を模式的に示す図である。
【符号の説明】
【００４９】
１  制御装置
２  メディア装填部
３  機器接続部
４  記録媒体装填部
５  ネットワーク接続部
６  表示部
７  操作部
８  デジタルカメラ
９  メディア
１０  記録媒体
１１  携帯電話機
１２  通信ネットワーク
１３  サーバ
１４  基地局
１５  データ入力手段
１６  認証情報読み取り手段
１７  データ生成手段
１８  データ記録手段
１９  アップロード手段
２０  ジャケットプリント
２１  バーコード情報
３０  画像閲覧システム
１００  ポリカーボネート基板
１０１  有機色素層
１０２  反射層
１０３  保護層
【図１】
2007081920.tif 000003
【図２】
2007081920.tif 000004
【図３】
2007081920.tif 000005
【図４】
2007081920.tif 000006
【図５】
2007081920.tif 000007
【図６】
2007081920.tif 000008
【図７】
2007081920.tif 000009
【図８】
2007081920.tif 000010
【図９】
2007081920.tif 000011
【図１０】
2007081920.tif 000012
【図１１】
2007081920.tif 000013
【図１２】
2007081920.tif 000014
【図１３】
2007081920.tif 000015